【事件の表示】
　特願２０１１−２００３８０号「遊技機のメダル補給装置」拒絶査定不服審判事件〔平成２５年　４月　４日出願公開、特開２０１３−　５９５１９号〕について、次のとおり審決する。
【結　論】
　本件審判の請求は、成り立たない。
【理　由】
第１　手続の経緯
　本願は，平成２３年９月１４日に出願したものであって，平成２７年９月１１日付けで拒絶理由が通知され，同年１１月１８日に意見書及び手続補正書が提出され，同年１２月２２日付けで拒絶理由が通知（いわゆる「最後の拒絶理由通知」）され，これに対し平成２８年２月２４日に意見書及び手続補正書が提出されたが，同年３月２９日付けで同年２月２４日付けの手続補正が却下されると共に拒絶査定がなされ，これに対して，同年６月１５日に拒絶査定不服審判の請求がなされるとともに手続補正がなされたものである。
第２　平成２８年６月１５日付けの手続補正についての補正却下の決定
［補正却下の決定の結論］
　平成２８年６月１５日付けの手続補正（以下「本件補正」という。）を却下する。
［理由］
１　本件補正の概要
　本件補正は特許請求の範囲の請求項１〜４の記載を含む補正であり，平成２７年１１月１８日付けの手続補正と本件補正の特許請求の範囲の請求項１の記載はそれぞれ，以下のとおりである（下線部は補正を示す。）。
（補正前：平成２７年１１月１８日付けの手続補正）
「【請求項１】
　複数の遊技機が設置される設置島に延設され，それぞれの遊技機に対して小径メダル及び大径メダルを搬送して供給するメダル供給搬送手段と，
　前記設置島に延設され，それぞれの遊技機から排出されたメダルを回収して搬送するメダル回収搬送手段と，
　前記メダル回収搬送手段で回収されたメダルを小径メダルと大径メダルとに選別し得るメダル選別手段と，
　前記メダル回収搬送手段で回収されたメダルを収容するとともに，前記メダル供給搬送手段にメダルを補給するメダル補給手段と，
を具備し，前記遊技機からのメダルの要求信号に応じて前記メダル補給手段を介して小径メダル又は大径メダルを補給可能な遊技機のメダル補給装置であって，
　前記選別手段で選別され，前記メダル供給搬送手段を介して前記遊技機に補給される小径メダル又は大径メダルの枚数を計数可能な計数手段と，
　前記遊技機からメダルの要求信号を受信したとき，前記計数手段による計数値に基づき不正の有無を判定する判定手段と，
を具備したことを特徴とする遊技機のメダル補給装置。」
（補正後：本件補正：平成２８年６月１５日付け手続補正）
「【請求項１】
　複数の遊技機が設置される設置島に延設され，それぞれの遊技機に対して小径メダル及び大径メダルを搬送して供給するメダル供給搬送手段と，
　前記設置島に延設され，それぞれの遊技機から排出されたメダルを回収して搬送するメダル回収搬送手段と，
　前記メダル回収搬送手段で回収されたメダルを小径メダルと大径メダルとに選別し得るメダル選別手段と，
　前記メダル回収搬送手段で回収されたメダルを収容するとともに，前記メダル供給搬送手段にメダルを補給するメダル補給手段と，
を具備し，前記遊技機からのメダルの要求信号に応じて前記メダル補給手段を介して小径メダル又は大径メダルを補給可能
とされるとともに，大当たり信号が発信されず前記小径メダル又は大径メダルが払い出される遊技機が設置され得る
　前記選別手段で選別され，前記メダル供給搬送手段を介して前記遊技機に補給される小径メダル又は大径メダルの枚数を計数可能な計数手段と，
　前記遊技機からメダルの要求信号を受信したとき，前記計数手段による計数値に基づき
，大当たり信号が発信されず前記小径メダル又は大径メダルが払い出される遊技機に対する
し得る
を具備したことを特徴とする遊技機のメダル補給装置。」
２　補正の適否
（１）補正事項
　本件補正は，補正前の請求項１について，以下に挙げる補正事項を含むものである。
ア　補正前の請求項１に記載された発明特定事項である「遊技機のメダル補給装置」に関して，
「前記遊技機からのメダルの要求信号に応じて前記メダル補給手段を介して小径メダル又は大径メダルを補給可能な」という記載を，
「前記遊技機からのメダルの要求信号に応じて前記メダル補給手段を介して小径メダル又は大径メダルを補給可能
とされるとともに，大当たり信号が発信されず前記小径メダル又は大径メダルが払い出される遊技機が設置され得る
イ　補正前の請求項１に記載された発明特定事項である「判定手段」に関して，
「前記計数手段による計数値に基づき不正の有無を判定する」という記載を，
「前記計数手段による計数値に基づき
，大当たり信号が発信されず前記小径メダル又は大径メダルが払い出される遊技機に対する
し得る
（２）補正の目的等についての検討
ア　補正事項アは，「遊技機のメダル補給装置」について，「大当たり信号が発信されず前記小径メダル又は大径メダルが払い出される遊技機が設置され得る」と限定する補正であり，また，補正後の請求項１に記載された発明は，補正前の請求項１に記載された発明と，産業上の利用分野及び解決しようとする課題が同一であるので，特許法第１７条の２第５項第２号に規定する特許請求の範囲の減縮を目的とするものに該当する。
イ　補正事項イは，「不正の有無を判定する」という構成を，「大当たり信号が発信されず前記小径メダル又は大径メダルが払い出される遊技機に対する不正の有無を判定し得る」という構成に限定する補正であり，また，補正後の請求項１に記載された発明は，補正前の請求項１に記載された発明と，産業上の利用分野及び解決しようとする課題が同一であるので，特許法第１７条の２第５項第２号に規定する特許請求の範囲の減縮を目的とするものに該当する。
　そして，本件補正は，段落【００３７】〜【００３９】，【００７３】〜【００７５】の記載に基づくものであるから，新規事項を追加するものではない。
３　独立特許要件
　そこで，本件補正後の請求項１に記載された発明が特許出願の際独立して特許を受けることができるものであるか否か，すなわち，特許法第１７条の２第６項において準用する同法第１２６条第７項の規定に適合するか否か，について以下に検討する。
（１）本件補正後の請求項１に係る発明
　補正後の請求項１に係る発明（以下，「本願補正発明」という。）は，上記「１　本件補正の概要」に本件補正後の請求項１として記載したとおりのものである（Ａ〜Ｈは，本願補正発明を分説するために当審で付与した。）。
「【請求項１】
Ａ　複数の遊技機が設置される設置島に延設され，それぞれの遊技機に対して小径メダル及び大径メダルを搬送して供給するメダル供給搬送手段と，
Ｂ　前記設置島に延設され，それぞれの遊技機から排出されたメダルを回収して搬送するメダル回収搬送手段と，
Ｃ　前記メダル回収搬送手段で回収されたメダルを小径メダルと大径メダルとに選別し得るメダル選別手段と，
Ｄ　前記メダル回収搬送手段で回収されたメダルを収容するとともに，前記メダル供給搬送手段にメダルを補給するメダル補給手段と，
を具備し，
Ｅ　前記遊技機からのメダルの要求信号に応じて前記メダル補給手段を介して小径メダル又は大径メダルを補給可能とされるとともに，大当たり信号が発信されず前記小径メダル又は大径メダルが払い出される遊技機が設置され得る遊技機のメダル補給装置であって，
Ｆ　前記選別手段で選別され，前記メダル供給搬送手段を介して前記遊技機に補給される小径メダル又は大径メダルの枚数を計数可能な計数手段と，
Ｇ　前記遊技機からメダルの要求信号を受信したとき，前記計数手段による計数値に基づき，大当たり信号が発信されず前記小径メダル又は大径メダルが払い出される遊技機に対する不正の有無を判定し得る判定手段と，
Ｈ　を具備したことを特徴とする遊技機のメダル補給装置。」
（２）刊行物に記載された事項
（２−１）刊行物１
　原査定の平成２７年１２月２２日付け拒絶理由に引用された本願の出願前に頒布された特開２０１０−２８４３２３号公報（以下，「刊行物１」という。）には，図面とともに次の事項が記載されている（下線は当審で付した。）。
（ア）「【００１２】
　以下，本発明に係る遊技場のメダル循環システムを実施するための最良の形態について詳しく説明する。図１は本発明が適用される遊技場における複数の設置島の平面図，図２は一つの設置島の側面図，図３は同設置島における搬送ラインと遊技機との関係を示す拡大平面図である。各設置島Ｉ（Ｉ１〜Ｉ３）はいずれも同じ構造からなるので，便宜上設置島Ｉ１について説明する。
設置島Ｉ１
に
遊技機Ｓが多数台列設されている
（イ）「【００１６】
　補給本体装置５を更に詳しく説明する。
メダル選別機６は
メダル排出通路部１４と，を備えている
・・・
【００２１】
　前記
メダル排出通路部１４に
小・大径メダルＭ１，Ｍ２を検出する第一検知センサ４９
大径メダルＭ２を検出する第二検知センサ５０が配置固定され
第一検知センサ４９と第二検知センサ５０によって
小径メダルＭ１または大径メダルＭ２がメダルを要求している遊技機Ｓ１，Ｓ２に何枚補給されたか
算出される
（ウ）「【００５１】
　設置島Ｉ１〜Ｉ３の稼働中に，
或る遊技機Ｓ１で小径メダルＭ１が不足してきたとの信号
（エ）「【００５５】
　このように，本発明に係る
遊技場のメダル循環システムは
小径メダルＭ１と大径メダルＭ２を遊技媒体とする二種類の遊技機Ｓ１，Ｓ２をそれぞれ一つの設置島Ｉに列設し
該設置島Ｉの下部に各遊技機Ｓ１，Ｓ２から排出され外径の異なるメダルＭ１，Ｍ２を混在した状態で回収するメダル回収搬送装置１を配設し
設置島Ｉの上部に外径の異なるメダルＭ１，Ｍ２をそれぞれ別個に搬送する一対の搬送ライン３ａ，３ｂを並設して
各遊技機Ｓ１，Ｓ２にメダルＭ１，Ｍ２を供給するメダル供給搬送装置２を配設し
メダル回収搬送装置１により回収された外径の異なるメダルＭ１，Ｍ２を小径メダルＭ１と大径メダルＭ２とに選別する
これら小・大径メダルＭ１，Ｍ２をそれぞれメダル供給搬送装置２の各搬送ライン３ａ，３ｂに供給する補給本体装置５
【００５６】
　
前記補給本体装置５は，メダル回収搬送装置１により回収されたメダルＭ１，Ｍ２を揚送するメダル揚送リフト１０と，該メダル揚送リフト１０から排出されるメダルＭ１，Ｍ２を小径メダルＭ１と大径メダルＭ２とに選別するメダル選別機６と，小・大径メダルＭ１，Ｍ２をそれぞれ別個に貯留する第一・二メダル貯留タンク７ａ，７ｂと，を備え，メダル選別機６により選別された小径メダルＭ１及び大径メダルＭ２を
第一・二メダル貯留タンク７ａ，７ｂまたは各搬送ライン３ａ，３ｂに供給する
或る遊技機Ｓ１，Ｓ２に小径メダルＭ１または大径メダルＭ２の補給要求があったとき，そのメダルＭ１，Ｍ２に対応するメダル貯留タンク７ａ，７ｂから集中的にメダルＭ１，Ｍ２を排出し，対応する搬送ライン３ａ，３ｂを介して前記遊技機Ｓ１，Ｓ２にメダルＭ１，Ｍ２を供給することができ
【００５７】
　本発明の
メダル選別機６は
メダル送出部１３と
メダル排出通路部１４とを有し
メダル選別機６に
第一検知センサ４９と
第二検知センサ５０を配設したので，メダルＭ１，Ｍ２の補給を必要としている遊技機Ｓ１，Ｓ２にメダルＭ１，Ｍ２を何枚供給できたか詳しい枚数を知ることができ
遊技機Ｓ１，Ｓ２から大量のメダルＭ１，Ｍ２を勝手に取るといった不正行為も発見できる
　上記記載事項（ア）〜（エ）より，以下の事項が導かれる。
　なお，（ａ）〜（ｈ）は，本願補正発明の構成Ａ〜Ｈに対応した事項を示している。
（ａ）上記段落【００１２】には「設置島Ｉ１・・・に・・・遊技機Ｓが多数台列設されている」と記載され，上記段落【００５５】には「小径メダルＭ１と大径メダルＭ２を遊技媒体とする二種類の遊技機Ｓ１，Ｓ２をそれぞれ一つの設置島Ｉに列設し，・・・設置島Ｉの上部に外径の異なるメダルＭ１，Ｍ２をそれぞれ別個に搬送する一対の搬送ライン３ａ，３ｂを並設して・・各遊技機Ｓ１，Ｓ２にメダルＭ１，Ｍ２を供給するメダル供給搬送装置２を配設し」と記載されているから，刊行物１には，
遊技機Ｓ１，Ｓ２が多数台列設されている設置島Ｉの上部に並設し，各遊技機Ｓ１，Ｓ２に小径メダルＭ１と大径メダルＭ２をそれぞれ別個に搬送する一対の搬送ライン３ａ，３ｂ
（ｂ）上記段落【００５５】には「該設置島Ｉの下部に各遊技機Ｓ１，Ｓ２から排出され外径の異なるメダルＭ１，Ｍ２を混在した状態で回収するメダル回収搬送装置１を配設し」と記載されているから，刊行物１には，
該設置島Ｉの下部に配設し，各遊技機Ｓ１，Ｓ２から排出され外径の異なるメダルＭ１，Ｍ２を混在した状態で回収するメダル回収搬送装置１
（ｃ）上記段落【００５５】には「メダル回収搬送装置１により回収された外径の異なるメダルＭ１，Ｍ２を小径メダルＭ１と大径メダルＭ２とに選別する・・・補給本体装置５」と記載され，上記段落【００５６】には「前記補給本体装置５は，メダル回収搬送装置１により回収されたメダルＭ１，Ｍ２を揚送するメダル揚送リフト１０と，該メダル揚送リフト１０から排出されるメダルＭ１，Ｍ２を小径メダルＭ１と大径メダルＭ２とに選別するメダル選別機６と・・・を備え」と記載されているから，刊行物１には，
前記メダル回収搬送装置１により回収された外径の異なるメダルＭ１，Ｍ２を小径メダルＭ１と大径メダルＭ２とに選別するメダル選別機６
（ｄ）上記段落【００５６】には「前記補給本体装置５は，メダル回収搬送装置１により回収されたメダルＭ１，Ｍ２を揚送するメダル揚送リフト１０と，該メダル揚送リフト１０から排出されるメダルＭ１，Ｍ２を小径メダルＭ１と大径メダルＭ２とに選別するメダル選別機６と，小・大径メダルＭ１，Ｍ２をそれぞれ別個に貯留する第一・二メダル貯留タンク７ａ，７ｂと，を備え，メダル選別機６により選別された小径メダルＭ１及び大径メダルＭ２を・・・第一・二メダル貯留タンク７ａ，７ｂまたは各搬送ライン３ａ，３ｂに供給する・・・遊技機Ｓ１，Ｓ２に小径メダルＭ１または大径メダルＭ２の補給要求があったとき，そのメダルＭ１，Ｍ２に対応するメダル貯留タンク７ａ，７ｂから集中的にメダルＭ１，Ｍ２を排出し，対応する搬送ライン３ａ，３ｂを介して前記遊技機Ｓ１，Ｓ２にメダルＭ１，Ｍ２を供給することができ」と記載されていると共に，補給本体装置５は第一・二メダル貯留タンク７ａ，７ｂ等にメダルＭ１，Ｍ２を貯留しているといえるから，刊行物１には，
メダル回収搬送装置１により回収されたメダルＭ１，Ｍ２を貯留すると共に，小径メダルＭ１及び大径メダルＭ２を各搬送ライン３ａ，３ｂに供給する補給本体装置５と，を備え
（ｅ）上記段落【００５６】には「前記補給本体装置５は，・・・或る遊技機Ｓ１，Ｓ２に小径メダルＭ１または大径メダルＭ２の補給要求があったとき，そのメダルＭ１，Ｍ２に対応するメダル貯留タンク７ａ，７ｂから集中的にメダルＭ１，Ｍ２を排出し，対応する搬送ライン３ａ，３ｂを介して前記遊技機Ｓ１，Ｓ２にメダルＭ１，Ｍ２を供給することができ，」と記載され，上記段落【００５１】には「或る遊技機Ｓ１で小径メダルＭ１が不足してきたとの信号」と記載されていると共に，上記段落【００５６】の「補給要求」は，上記段落【００５１】の記載から「補給要求信号」であることは明らかである。
　また，上記段落【００５５】には「遊技場のメダル循環システムは，小径メダルＭ１と大径メダルＭ２を遊技媒体とする二種類の遊技機Ｓ１，Ｓ２をそれぞれ一つの設置島Ｉに列設し，・・・各遊技機Ｓ１，Ｓ２にメダルＭ１，Ｍ２を供給するメダル供給搬送装置２を配設し，」と記載されている。
　これらのことから，刊行物１には，
或る遊技機Ｓ１，Ｓ２で小径メダルＭ１または大径メダルＭ２の補給要求信号があったとき，前記補給本体装置５は搬送ライン３ａ，３ｂを介して遊技機Ｓ１，Ｓ２にメダルＭ１，Ｍ２を供給することができるとともに，小径メダルＭ１と大径メダルＭ２を遊技媒体とする二種類の遊技機Ｓ１，Ｓ２が列設されている設置島Ｉの各遊技機Ｓ１，Ｓ２にメダルＭ１，Ｍ２を供給する遊技場のメダル循環システム
（ｆ）上記段落【００５６】には，「メダル選別機６により選別された小径メダルＭ１及び大径メダルＭ２を・・・各搬送ライン３ａ，３ｂに供給する・・・対応する搬送ライン３ａ，３ｂを介して前記遊技機Ｓ１，Ｓ２にメダルＭ１，Ｍ２を供給することができ，」と記載され，上記段落【００１６】には，「メダル選別機６は・・・メダル排出通路部１４と，を備えている」と記載され，上記段落【００２１】には，「メダル排出通路部１４に・・・小・大径メダルＭ１，Ｍ２を検出する第一検知センサ４９・・・大径メダルＭ２を検出する第二検知センサ５０が配置固定され・・・第一検知センサ４９と第二検知センサ５０によって・・・小径メダルＭ１または大径メダルＭ２がメダルを要求している遊技機Ｓ１，Ｓ２に何枚補給されたか・・・算出される」と記載されている。
　これらの記載から，刊行物１には，
メダル選別機６により選別され，搬送ライン３ａ，３ｂを介して前記遊技機Ｓ１，Ｓ２に供給することができるメダルＭ１，Ｍ２を，メダル選別機６の小・大径メダルＭ１，Ｍ２を検出する第一検知センサ４９と大径メダルＭ２を検出する第二検知センサ５０によって，小径メダルＭ１または大径メダルＭ２が遊技機Ｓ１，Ｓ２に何枚補給されたか算出され
（ｇ）上記段落【００２１】には，「メダル排出通路部１４に・・・小・大径メダルＭ１，Ｍ２を検出する第一検知センサ４９・・・大径メダルＭ２を検出する第二検知センサ５０が配置固定され・・・第一検知センサ４９と第二検知センサ５０によって・・・小径メダルＭ１または大径メダルＭ２がメダルを要求している遊技機Ｓ１，Ｓ２に何枚補給されたか・・・算出される」と記載され，上記段落【００５７】には，「メダル選別機６は・・・メダル排出通路部１４とを有し，メダル選別機６に・・・第一検知センサ４９と・・・第二検知センサ５０を配設したので，メダルＭ１，Ｍ２の補給を必要としている遊技機Ｓ１，Ｓ２にメダルＭ１，Ｍ２を何枚供給できたか詳しい枚数を知ることができ，・・・遊技機Ｓ１，Ｓ２から大量のメダルＭ１，Ｍ２を勝手に取るといった不正行為も発見できる」と記載され，上記段落【００５５】には「小径メダルＭ１と大径メダルＭ２を遊技媒体とする二種類の遊技機Ｓ１，Ｓ２」と記載されている。
　これらのことから，刊行物１には，
第一検知センサ４９と第二検知センサ５０によって，小径メダルＭ１または大径メダルＭ２が遊技機Ｓ１，Ｓ２に何枚補給されたか算出され，小径メダルＭ１と大径メダルＭ２を遊技媒体とする二種類の遊技機Ｓ１，Ｓ２から大量のメダルＭ１，Ｍ２を勝手に取るといった不正行為を発見できる構成と，を備えた
（ｈ）上記段落【００５５】には「遊技場のメダル循環システムは，・・・各遊技機Ｓ１，Ｓ２にメダルＭ１，Ｍ２を供給するメダル供給搬送装置２を配設し，」と記載されているから，刊行物１には，
各遊技機Ｓ１，Ｓ２にメダルＭ１，Ｍ２を供給する遊技場のメダル循環システム
　上記の記載事項（ア）〜（エ）及び上記の認定事項（ａ）〜（ｈ）から，刊行物１には，次の発明（以下，「引用発明１」という。）が記載されていると認められる。
「ａ　遊技機Ｓ１，Ｓ２が多数台列設されている設置島Ｉの上部に並設し，各遊技機Ｓ１，Ｓ２に小径メダルＭ１と大径メダルＭ２をそれぞれ別個に搬送する一対の搬送ライン３ａ，３ｂと，
ｂ　該設置島Ｉの下部に配設し，各遊技機Ｓ１，Ｓ２から排出され外径の異なるメダルＭ１，Ｍ２を混在した状態で回収するメダル回収搬送装置１と，
ｃ　前記メダル回収搬送装置１により回収された外径の異なるメダルＭ１，Ｍ２を小径メダルＭ１と大径メダルＭ２とに選別するメダル選別機６と，
ｄ　メダル回収搬送装置１により回収されたメダルＭ１，Ｍ２を貯留すると共に，小径メダルＭ１及び大径メダルＭ２を各搬送ライン３ａ，３ｂに供給する補給本体装置５と，を備え，
ｅ’或る遊技機Ｓ１，Ｓ２で小径メダルＭ１または大径メダルＭ２の補給要求信号があったとき，前記補給本体装置５は搬送ライン３ａ，３ｂを介して遊技機Ｓ１，Ｓ２にメダルＭ１，Ｍ２を供給することができるとともに，小径メダルＭ１と大径メダルＭ２を遊技媒体とする二種類の遊技機Ｓ１，Ｓ２が列設されている設置島Ｉの各遊技機Ｓ１，Ｓ２にメダルＭ１，Ｍ２を供給する遊技場のメダル循環システムであって，
ｆ’メダル選別機６により選別され，搬送ライン３ａ，３ｂを介して前記遊技機Ｓ１，Ｓ２に供給することができるメダルＭ１，Ｍ２を，メダル選別機６の小・大径メダルＭ１，Ｍ２を検出する第一検知センサ４９と大径メダルＭ２を検出する第二検知センサ５０によって，小径メダルＭ１または大径メダルＭ２が遊技機Ｓ１，Ｓ２に何枚補給されたか算出され，
ｇ’第一検知センサ４９と第二検知センサ５０によって，小径メダルＭ１または大径メダルＭ２が遊技機Ｓ１，Ｓ２に何枚補給されたか算出され，小径メダルＭ１と大径メダルＭ２を遊技媒体とする二種類の遊技機Ｓ１，Ｓ２から大量のメダルＭ１，Ｍ２を勝手に取るといった不正行為を発見できる構成と，を備えた，
ｈ　各遊技機Ｓ１，Ｓ２にメダルＭ１，Ｍ２を供給する遊技場のメダル循環システム。」
（２−２）刊行物２
　原査定の平成２７年１２月２２日付け拒絶理由に引用された本願の出願前に頒布された特開２００１−２４６０４６号公報（以下，「刊行物２」という。）には，図面とともに次の事項が記載されている。
（ア）「【０００４】また，従来は，パチスロ機から補給要求信号が制御装置に送られると，そのままコインを補給していたので，
パチスロ機内のコインが不正行為によって抜かれた場合
【０００５】本発明はこの様な事情に鑑みなされたもので，その目的は，
パチスロ機内のコインが不正に抜かれた場合
（イ）「【００４２】また，この
制御装置２２
パチスロ機３から出力されるコイン補給要求信号を入力した場合に，履歴メモリ５２に記憶されているコイン投入数の累計にコイン補給数の累計を加算し，この加算値からコイン払出数を減算する演算を行ない，この演算結果が，
零以上
の場合には当該パチスロ機３へのコインの補給を実行することなく
（ウ）「【００５０】図７中の数式において，Ｘはコイン投入数，Ｙはコイン払出数，Ｚはコイン補給数であり，
履歴メモリ５２に記憶されているコイン投入数の累計
にコイン補給数の累計
を加算し，この加算値からコイン払出数の累計
を減算する演算を行ない，この演算結果が零以上の場合には当該パチスロ機３へのコインの補給を実行することなく
パチスロ機３のコイン排出
補給要求時に払出数（ΣＹ）が（ΣＸ＋ΣＺ）を越えていない場合は正常な遊技ではあり得ないので，不正行為（コイン抜き）があったと判断する
この判断は補給信号の出力時にタイミングを合わせて行なう
　上記の記載事項（ア）〜（ウ）から，刊行物２には，次の発明（以下，「引用発明２」という。）が記載されていると認められる。
「ｇ’パチスロ機３から出力されるコイン補給要求信号を入力した場合に，コイン投入数の累計にコイン補給数の累計を加算し，この加算値からコイン払出数の累計を減算する演算を行ない，コインを払い出すパチスロ機３に不正行為（コイン抜き）があったか判断する制御装置２２」
（３）対比
　本願補正発明と引用発明１とを対比する。
（ａ）引用発明１の「遊技機Ｓ１，Ｓ２」，「設置島Ｉ」，「小径メダルＭ１」，「大径メダルＭ２」及び「搬送ライン３ａ，３ｂ」は，それぞれ，本願補正発明の「遊技機」，「設置島」，「小径メダル」，「大径メダル」及び「メダル供給搬送手段」に相当する。
　したがって，引用発明１の「遊技機Ｓ１，Ｓ２が多数台列設されている設置島Ｉの上部に並設し，各遊技機Ｓ１，Ｓ２に小径メダルＭ１と大径メダルＭ２をそれぞれ別個に搬送する一対の搬送ライン３ａ，３ｂ」は，本願補正発明の「複数の遊技機が設置される設置島に延設され，それぞれの遊技機に対して小径メダル及び大径メダルを搬送して供給するメダル供給搬送手段」に相当する。
（ｂ）引用発明１の「メダル回収搬送装置１」は，本願補正発明の「メダル回収搬送手段」に相当する。
　このことから，引用発明１の「該設置島Ｉの下部に配設し，各遊技機Ｓ１，Ｓ２から排出され外径の異なるメダルＭ１，Ｍ２を混在した状態で回収するメダル回収搬送装置１」は，本願補正発明の「前記設置島に延設され，それぞれの遊技機から排出されたメダルを回収して搬送するメダル回収搬送手段」に相当する。
（ｃ）引用発明１の「メダル選別機６」は，本願補正発明の「メダル選別手段」に相当する。
　このことから，引用発明１の「前記メダル回収搬送装置１により回収された外径の異なるメダルＭ１，Ｍ２を小径メダルＭ１と大径メダルＭ２とに選別するメダル選別機６」は，本願補正発明の「前記メダル回収搬送手段で回収されたメダルを小径メダルと大径メダルとに選別し得るメダル選別手段」に相当する。
（ｄ）引用発明１の「貯留する」及び「補給本体装置５」は，それぞれ，本願補正発明の「収容する」及び「メダル補給手段」に相当する。
　したがって，引用発明１の「メダル回収搬送装置１により回収されたメダルＭ１，Ｍ２を貯留すると共に，小径メダルＭ１及び大径メダルＭ２を各搬送ライン３ａ，３ｂに供給する補給本体装置５」は，本願補正発明の「前記メダル回収搬送手段で回収されたメダルを収容するとともに，前記メダル供給搬送手段にメダルを補給するメダル補給手段」に相当する。
（ｅ）引用発明１の「小径メダルＭ１または大径メダルＭ２の補給要求信号」及び「各遊技機Ｓ１，Ｓ２にメダルＭ１，Ｍ２を供給する遊技場のメダル循環システム」は，それぞれ，本願補正発明の「メダルの要求信号」及び「遊技機のメダル補給装置」に相当する。
　また，引用発明１は「前記補給本体装置５は搬送ライン３ａ，３ｂを介して遊技機Ｓ１，Ｓ２にメダルＭ１，Ｍ２を供給することができる」から，引用発明１は「搬送ライン３ａ，３ｂ」だけでなく「補給本体装置５」を介して「メダルＭ１，Ｍ２を供給することができる」といえる。
　しかしながら，引用発明１の「設置島Ｉ」に「列設されている」「二種類の遊技機Ｓ１，Ｓ２」は，「小径メダルＭ１と大径メダルＭ２を遊技媒体とする」から，入賞により小径メダルＭ１又は大径メダルＭ２が払い出される遊技機Ｓ１，Ｓ２であることは明らかであるが，大当たり信号が発信されず小径メダルＭ１又は大径メダルＭ２が払い出される遊技機Ｓ１，Ｓ２であるか不明である。
　これらのことから，引用発明１の「或る遊技機Ｓ１，Ｓ２で小径メダルＭ１または大径メダルＭ２の補給要求信号があったとき，前記補給本体装置５は搬送ライン３ａ，３ｂを介して遊技機Ｓ１，Ｓ２にメダルＭ１，Ｍ２を供給することができるとともに，小径メダルＭ１と大径メダルＭ２を遊技媒体とする二種類の遊技機Ｓ１，Ｓ２が列設されている設置島Ｉの各遊技機Ｓ１，Ｓ２にメダルＭ１，Ｍ２を供給する遊技場のメダル循環システム」と，本願補正発明の「前記遊技機からのメダルの要求信号に応じて前記メダル補給手段を介して小径メダル又は大径メダルを補給可能とされるとともに，大当たり信号が発信されず前記小径メダル又は大径メダルが払い出される遊技機が設置され得る遊技機のメダル補給装置」とは，「前記遊技機からのメダルの要求信号に応じて前記メダル補給手段を介して小径メダル又は大径メダルを補給可能とされるとともに，」「前記小径メダル又は大径メダルが払い出される遊技機が設置され得る遊技機のメダル補給装置」である点で共通している。
（ｆ）引用発明１の「小径メダルＭ１または大径メダルＭ２が」「算出され」る構成は，メダルを計数できる構成であるといえるから，本願補正発明の「小径メダル又は大径メダルの枚数を計数可能な計数手段」に相当する。
　しかしながら，引用発明１は，既に「遊技機Ｓ１，Ｓ２に何枚補給されたか算出され」るものであり，今後何枚補給されるか算出されるものであるとまではいえない。
　したがって，引用発明１の「小・大径メダルＭ１，Ｍ２を検出する第一検知センサ４９と大径メダルＭ２を検出する第二検知センサ５０によって，小径メダルＭ１または大径メダルＭ２が遊技機Ｓ１，Ｓ２に何枚補給されたか算出され」る構成は，本願補正発明と「前記遊技機に補給」の「小径メダル又は大径メダルの枚数を計数可能な計数手段」である点で共通しているといえる。
　以上のことから，引用発明１の「メダル選別機６により選別され，搬送ライン３ａ，３ｂを介して前記遊技機Ｓ１，Ｓ２に供給することができるメダルＭ１，Ｍ２を，メダル選別機６の小・大径メダルＭ１，Ｍ２を検出する第一検知センサ４９と大径メダルＭ２を検出する第二検知センサ５０によって，小径メダルＭ１または大径メダルＭ２が遊技機Ｓ１，Ｓ２に何枚補給されたか算出され」る構成と，本願補正発明の「前記選別手段で選別され，前記メダル供給搬送手段を介して前記遊技機に補給される小径メダル又は大径メダルの枚数を計数可能な計数手段」とは，「前記選別手段で選別され，前記メダル供給搬送手段を介して前記遊技機に補給」の「小径メダル又は大径メダルの枚数を計数可能な計数手段」である点で共通している。
（ｇ）引用発明１の「二種類の遊技機Ｓ１，Ｓ２」は，「小径メダルＭ１と大径メダルＭ２を遊技媒体とする」から，上記（ｅ）でも言及したように，入賞により小径メダルＭ１又は大径メダルＭ２が払い出される遊技機Ｓ１，Ｓ２であることは明らかであるが，上記「二種類の遊技機Ｓ１，Ｓ２」が，大当たり信号が発信されずに小径メダルＭ１又は大径メダルＭ２が払い出されるか不明である。
　また，引用発明１は，「第一検知センサ４９と第二検知センサ５０によって，小径メダルＭ１または大径メダルＭ２が遊技機Ｓ１，Ｓ２に何枚補給されるか算出され，小径メダルＭ１と大径メダルＭ２を遊技媒体とする二種類の遊技機Ｓ１，Ｓ２から大量のメダルＭ１，Ｍ２を勝手に取るといった不正行為を発見できる構成」「を備え」ているから，算出された枚数に基づき（計数手段による計数値に基づき），小径メダルＭ１又は大径メダルＭ２が払い出される遊技機Ｓ１，Ｓ２に対する不正行為を発見できる構成（不正行為の有無を判定し得る判定手段）を備えていることは明らかである。
　しかしながら，不正行為を発見できるタイミングが不明であるから，或る遊技機Ｓ１，Ｓ２に小径メダルＭ１または大径メダルＭ２の補給要求があったときに，不正行為を発見できるか不明である。
　これらのことから，引用発明１の「第一検知センサ４９と第二検知センサ５０によって，小径メダルＭ１または大径メダルＭ２が遊技機Ｓ１，Ｓ２に何枚補給されるか算出され，小径メダルＭ１と大径メダルＭ２を遊技媒体とする二種類の遊技機Ｓ１，Ｓ２から大量のメダルＭ１，Ｍ２を勝手に取るといった不正行為を発見できる構成」と，本願補正発明の「前記遊技機からメダルの要求信号を受信したとき，前記計数手段による計数値に基づき，大当たり信号が発信されず前記小径メダル又は大径メダルが払い出される遊技機に対する不正の有無を判定し得る判定手段」とは，「前記計数手段による計数値に基づき，」「前記小径メダル又は大径メダルが払い出される遊技機に対する不正の有無を判定し得る判定手段」である点で共通している。
（ｈ）引用発明１の「各遊技機Ｓ１，Ｓ２にメダルＭ１，Ｍ２を供給する遊技場のメダル循環システム」は，本願補正発明の「遊技機のメダル補給装置」に相当する。
　上記（ａ）〜（ｈ）から，本願補正発明と引用発明１とは，
［一致点］
「Ａ　複数の遊技機が設置される設置島に延設され，それぞれの遊技機に対して小径メダル及び大径メダルを搬送して供給するメダル供給搬送手段と，
Ｂ　前記設置島に延設され，それぞれの遊技機から排出されたメダルを回収して搬送するメダル回収搬送手段と，
Ｃ　前記メダル回収搬送手段で回収されたメダルを小径メダルと大径メダルとに選別し得るメダル選別手段と，
Ｄ　前記メダル回収搬送手段で回収されたメダルを収容するとともに，前記メダル供給搬送手段にメダルを補給するメダル補給手段と，
を具備し，
Ｅ’前記遊技機からのメダルの要求信号に応じて前記メダル補給手段を介して小径メダル又は大径メダルを補給可能とされるとともに，前記小径メダル又は大径メダルが払い出される遊技機が設置され得る遊技機のメダル補給装置であって，
Ｆ’前記選別手段で選別され，前記メダル供給搬送手段を介して前記遊技機に補給の小径メダル又は大径メダルの枚数を計数可能な計数手段と，
Ｇ’前記計数手段による計数値に基づき，前記小径メダル又は大径メダルが払い出される遊技機に対する不正の有無を判定し得る判定手段と，
を具備した
Ｈ　遊技機のメダル補給装置。」
　である点で一致し，以下の点で相違する。
［相違点１］（構成Ｅ，Ｇ）
　遊技機のメダル補給装置に設置され得る「前記小径メダル又は大径メダルが払い出される遊技機」に関して，
　本件発明は，「大当たり信号が発信されず」「メダルが払い出される」のに対して，
　引用発明１は，そのような構成であるか不明である点。
［相違点２］（構成Ｆ，Ｇ）
「前記遊技機に補給の小径メダル又は大径メダルの枚数を計数可能な計数手段」が計数する対象（構成Ｆ），及び「前記計数手段による計数値に基づき，」「前記小径メダル又は大径メダルが払い出される遊技機に対する不正の有無を判定し得る判定手段」の判定タイミング（構成Ｇ）に関して，
　本件発明は，「補給される」「メダル」（構成Ｆ），及び「前記遊技機からメダルの要求信号を受信したとき」（構成Ｇ）であるのに対して，
　引用発明１は，「補給された」「メダル」（構成Ｆ）であり，そのようなタイミング（構成Ｇ）でない点。
　
（４）判断
ア　相違点１について
　本願明細書の段落【０００６】〜【０００７】には「【０００６】・・・しかし，所謂（
ＡＲＴ
と称される大当たり信号が発信されない状態でメダルが払い出される遊技機
　本願明細書のこの記載から，前記相違点１に係る大当たり信号が発信されずメダルが払い出される遊技機に該当するのは，ＡＲＴ状態中において大当たり信号が発信されずにメダルが払い出される遊技機等であるといえる。
　大当たり信号が発信されずメダルが払い出される遊技機（ＡＲＴ状態中において大当たり信号が発信されずにメダルが払い出される遊技機等）は，一例として，特開２０１０−２２０８２２号公報（【００４３】には「スロットマシン１の・・・ＲＴ・ＡＲＴ状態は，外部出力端子１ａから該当する信号が出力されないため」と，【００４８】には 「図９は，ＲＴ・ＡＲＴ中において，一定の時間における払出メダル数を監視し，非大当り状態であるにも拘わらず，短時間に多くのメダルが払い出されることで，クレジット機能に係る不正の判定を行う処理であり」と記載されているから，ＡＲＴ状態中において大当たり信号が発信されずにメダルが払い出されるスロットマシン［大当たり信号が発信されずメダルが払い出される遊技機］が記載されている。）に記載されているように，周知（以下，「周知技術」という。）である。
　引用発明１の各遊技機Ｓ１，Ｓ２にメダルＭ１，Ｍ２を供給する遊技場のメダル循環システムにおいて，遊技機Ｓ１，Ｓ２の対象を，上記周知技術である大当たり信号が発信されずメダルが払い出される遊技機（ＡＲＴ状態中において大当たり信号が発信されずにメダルが払い出される遊技機等）として，上記相違点１に係る本件発明の構成とすることは，当業者が適宜なし得たことである。
イ　相違点２について
　上記（２）（２−２）に記載された引用発明２は，「パチスロ機３から出力されるコイン補給要求信号を入力した場合に，コイン投入数の累計にコイン補給数の累計を加算し，この加算値からコイン払出数の累計を減算する演算を行ない，コインを払い出すパチスロ機３に不正行為（コイン抜き）があったか判断する」発明である。
　引用発明１と引用発明２は共に，メダル・コイン等を払出す遊技機（パチスロ機）に対して不正行為を発見（不正行為があったか判断）する技術に関する発明であり，技術分野が共通している。
　したがって，引用発明１に，引用発明２のパチスロ機３から出力されるコイン補給要求信号を入力した場合に，コインを払い出すパチスロ機３に不正行為があったか判断する発明を適用して，或る遊技機Ｓ１，Ｓ２で，小径メダルＭ１または大径メダルＭ２の補給要求信号があったときに，遊技機Ｓ１，Ｓ２に小径メダルＭ１または大径メダルＭ２が何枚補給されるか算出した小径メダルＭ１または大径メダルＭ２の補給枚数に基づき，上記遊技機Ｓ１，Ｓ２に対する不正行為が発見できるようにして，上記相違点２に係る本件発明の構成とすることは，当業者が適宜なし得たことである。
　そして，本願補正発明の作用効果も，引用発明１，引用発明２，周知技術から当業者が予測できる範囲のものである。
　したがって，本願補正発明は，引用発明１，引用発明２，周知技術に基づいて，当業者が容易に発明をすることができたものである。
（５）請求人の主張について
　請求人は審判請求書第８頁第１８行〜第９頁第１１行において，
「すなわち，「大径メダルを使用する遊技機及び小径メダルを使用する遊技機のそれぞれを設置可能」な構成と，「大当たり信号が発信されず小径メダル又は大径メダルが払い出される遊技機が設置され得る」構成とを組み合わせ，「メダルの径に応じた不正行為の把握」に加え，「大当たり信号が発信されず小径メダル又は大径メダルが払い出される遊技機の有無に応じた不正行為の把握」を行う点に本願発明の重要な特徴がある。 
　これに対し，引用文献１，２に記載の発明は，何れも「大径メダルを使用する遊技機及び小径メダルを使用する遊技機のそれぞれを設置可能」な構成と，「大当たり信号が発信されず小径メダル又は大径メダルが払い出される遊技機が設置され得る」構成の両方を具備するものではなく，本願発明の如く「メダルの径に応じた不正行為の把握」に加え，「大当たり信号が発信されず小径メダル又は大径メダルが払い出される遊技機の有無に応じた不正行為の把握」を行うことができない。
　なお，審査官殿は，補正の却下の決定の備考欄において，「スロットマシンにおいて，ビッグボーナス（大当たり）や小当たりなどの入賞役があることは例示するまでもなく周知な事項である」と記載されているが，本願発明の如く「大当たり信号が発信されず小径メダル又は大径メダルが払い出される遊技機が設置され得る」構成と，「大径メダルを使用する遊技機及び小径メダルを使用する遊技機のそれぞれを設置可能」な構成とを組み合わせ，判定手段にて「遊技機からメダルの要求信号を受信したとき，計数手段による計数値に基づき，大当たり信号が発信されず小径メダル又は大径メダルが払い出される遊技機に対する不正の有無を判定し得る」ものは，周知な事項では決してない。」
と主張している。
　しかしながら，本願補正発明には，「メダルの径に応じた不正行為の把握」，及び「大当たり信号が発信されず小径メダル又は大径メダルが払い出される遊技機の有無に応じた不正行為の把握」という構成はなく，これらの記載に対応する構成もない。
　また，本願の願書に最初に添付した特許請求の範囲，明細書及び図面（以下，「当初明細書等」という。），及び本願の明細書及び図面には，「メダルの径に応じた不正行為の把握」，及び「大当たり信号が発信されず小径メダル又は大径メダルが払い出される遊技機の有無に応じた不正行為の把握」については記載されていない。
　これらのことから，請求人の「引用文献１，２に記載の発明は，・・・本願発明の如く「メダルの径に応じた不正行為の把握」に加え，「大当たり信号が発信されず小径メダル又は大径メダルが払い出される遊技機の有無に応じた不正行為の把握」を行うことができない。」という主張は，本願補正発明の記載に基づく主張ではなく，当初明細書等，及び本願の明細書及び図面の記載に基づく主張でもない。
　そして，上記（３）において既に検討したように，引用発明１は，本願補正発明の「大径メダルを使用する遊技機及び小径メダルを使用する遊技機のそれぞれを設置可能」な構成に相当する構成，「小径メダル又は大径メダルが払い出される遊技機が設置され得る」構成に相当する構成を有していると共に，小径メダルＭ１及び大径メダルＭ２が何枚補給されるか算出され，不正行為を発見できる構成を有しているから，「メダルの径に応じた不正行為の把握」（メダルの径毎の不正行為の把握）することができるといえる。
　それに，上記（３）において既に検討したように，引用発明１は，本願補正発明の「計数手段による計数値に基づき，小径メダル又は大径メダルが払い出される遊技機に対する不正の有無を判定し得る判定手段」に相当する構成も有しており，上記（４）において既に検討したように，大当たり信号が発信されずメダルが払い出される遊技機（ＡＲＴ状態中において大当たり信号が発信されずにメダルが払い出される遊技機等）は周知であるから，周知技術を適用した引用発明１は，「大当たり信号が発信されず小径メダル又は大径メダルが払い出される遊技機の有無に応じた不正行為の把握」（大当たり信号が発信されず小径メダル又は大径メダルが払い出される遊技機の有無に関わらず，遊技機に対する不正行為の把握）することができるといえる。
　さらに，引用発明１は，遊技機からの大当たり信号の有無とは関係なく，不正の有無を判定し得るものであるから，上記周知技術を適用しなくても，引用発明１は実質的に「大当たり信号が発信されず小径メダル又は大径メダルが払い出される遊技機の有無に応じた不正行為の把握」（大当たり信号が発信されず小径メダル又は大径メダルが払い出される遊技機の有無に関わらず，遊技機に対する不正行為の把握）を行うことができるといえる。
　しかも，本願補正発明と，引用発明１に引用発明２を適用した発明との相違点は，設置され得る遊技機が「大当たり信号が発信されず」「メダルが払い出される」点だけであり，引用発明１は，遊技機からの大当たり信号の有無とは関係なく，不正の有無を判定し得るものであるから，周知技術として「大当たり信号が発信されずメダルが払い出される遊技機（ＡＲＴ状態中において大当たり信号が発信されずにメダルが払い出される遊技機等）」があれば十分であり，上記（４）において既に検討したように，本願補正発明は，引用発明１，引用発明２，周知技術に基づいて，当業者が容易に発明をすることができたものであるから，請求人の主張するような周知技術は必要ない。
　以上のことから，請求人の主張を採用することはできない。
（６）まとめ
　したがって，本願補正発明は，特許法第２９条第２項の規定に基づいて特許出願の際独立して特許を受けることができない。
　よって，本件補正は，特許法第１７条の２第６項において準用する同法第１２６条第７項の規定に違反するので，同法第１５９条第１項において読み替えて準用する同法第５３条第１項の規定により却下すべきものである。
第３　本願発明
　本件補正は，上記のとおり却下されることとなったので，本願の請求項１〜４に係る発明は，平成２８年６月１５日付け手続補正書により補正された特許請求の範囲の請求項１〜４に記載された事項により特定されるとおりのものであるところ，その請求項１に係る発明（以下，「本願発明」という。）は，上記「第２［理由］１」に本件補正前の請求項１として記載したとおりのものである。
１　刊行物１
　原査定の拒絶理由に引用された本願の出願前に頒布された刊行物１の記載事項及び引用発明１の認定については，上記「第２［理由］３（２）（２−１）」に記載したとおりである。
２　対比・判断
　本願発明は，上記「第２［理由］１」で検討した本願補正発明から，実質的な変更とならない特定事項を除き，「遊技機のメダル補給装置」について，「大当たり信号が発信されず前記小径メダル又は大径メダルが払い出される遊技機が設置され得る」との限定を削除し，「不正の有無を判定」について，「大当たり信号が発信されず前記小径メダル又は大径メダルが払い出される遊技機に対する」とする限定を削除したものである。
　そうすると，本願発明と引用発明１の相違点は，上記「第２［理由］２（３）」の［相違点１］の構成を削除したものであるから，本願発明は，引用発明１，引用発明２に記載された事項に基づいて，当業者が容易に発明をすることができたものである。
３　むすび
　以上のとおり，本願発明は，特許法第２９条第２項の規定により特許を受けることができないものである。
　したがって，その余の請求項について検討するまでもなく，本願は拒絶すべきものである。
　よって，結論のとおり審決する。